(57)【要約】      （修正有）【課題】強固な構造を有すると共に、組み立てが極めて簡単であり、且つ収納もしやすい竹馬を提供する。【解決手段】複数の位置決め孔が形成され、複数の調整孔が形成されると共に、１つのスリーブが取り付けられ、足座が取り付けられる外パイプと、前記外パイプの内部に摺動可能に取り付けられ、当接プレートが設けられ、位置決め部材が突設される内パイプと、前記外パイプと着脱可能に結合され、取付孔が穿設され、収容溝が凹設され、結合孔が形成され、結合ピンが嵌設される踏み板と、を有する。【選択図】図１
0003144749.tif 000002
【実用新案登録請求の範囲】
【請求項１】
２つの円弧面と２つの平面とからなる、断面略方形を呈するパイプよりなる竹馬であって、
１つの円弧面における上端近傍に複数の位置決め孔が形成され、１つの平面における下端近傍に複数の調整孔が形成されると共に、最上端に１つのスリーブが取り付けられ、最下端に足座が取り付けられる外パイプと、
前記外パイプの内部に摺動可能に取り付けられ、下端に外パイプの内周面と対応する当接プレートが設けられ、外周面における当接プレートの近傍に１つの位置決め孔と係合する位置決め部材が突設される内パイプと、
前記外パイプと着脱可能に結合され、一端に外パイプの外周面と対応する取付孔が穿設され、内部に該取付孔と連通する収容溝が斜めに凹設され、外周面に取付孔を貫通する結合孔が横方向に形成され、該結合孔中に外パイプの１つの調整孔と結合する結合ピンが嵌設される踏み板と、を有することを特徴とする、
竹馬。
【請求項２】
前記位置決め部材には、内パイプの内部に湾曲状に設けられる板バネと、該板バネの一方の側面と結合すると共に、１つの位置決め孔と係合するように、内パイプの外周面より突出する位置決めピンとが設けられることを特徴とする、請求項１に記載の竹馬。
【請求項３】
前記取付孔の近傍における、収容溝の対向する内面に夫々係合リブが設けられることを特徴とする、請求項１または２に記載の竹馬。
【請求項４】
前記踏み板は、一体構造であることを特徴とする、請求項１または３に記載の竹馬。
【請求項５】
前記内パイプの外周面における上半部に滑り止め部が設けられることを特徴とする、請求項４に記載の竹馬。
【請求項６】
前記結合ピンの一端に引抜き用リングが設けられ、また、踏み板の外面に該引抜き用リングを収容するための凹入溝が形成されることを特徴とする、請求項５に記載の竹馬。
【請求項７】
前記踏み板の上面に複数の滑り止め凸部が設けられることを特徴とする、請求項６に記載の竹馬。
【請求項８】
前記内パイプの上端に内パイプの断面と対応するカバープレートが設けられることを特徴とする、請求項７に記載の竹馬。
【請求項９】
前記内パイプの外周面における上半部に滑り止め部が設けられ、該内パイプの上端には、内パイプの断面と対応する結合プレートが設けられると共に、結合ピンの一端に引抜き用リングが設けられ、踏み板の外面に該引抜き用リングを収容するための凹入溝が形成され、該踏み板の上面に複数の滑り止め凸部が設けられることを特徴とする、請求項１に記載の竹馬。
【考案の詳細な説明】
【技術分野】
【０００１】
本考案は、特に簡単かつ強固な構造を有すると共に、組み立て及び収納が便利な竹馬に関するものである。
【背景技術】
【０００２】
伝統的な竹馬は、竹の棒と、該棒に固設される踏み板とからなり、踏み板に使用者が乗り、手で棒を掴んで走行又は運動を行う道具である。
また伝統的な竹馬は、棒の長さが一定であるので、使用者の背丈に合わせて調整することができないと共に、収納時に、竿に固設された踏み板を折り畳むこともできない。
【０００３】
故に、前記伝統的な竹馬の欠点を鑑み、その後、互いに組合すことのできる２つのパイプからなる棒を有し、その棒と踏み板との間に、該踏み板を折り畳んで収納するための折り畳み装置が設けられる竹馬が提案された。
【考案の開示】
【考案が解決しようとする課題】
【０００４】
しかしながら、前記従来の竹馬は、２つのパイプにより長さを調整することはできるが、該２つのパイプは共に断面円形を呈するので、使用時、２つのパイプが互いに回転または摺動してしまい、使用上安全性に問題が生じる恐れがある。
また、従来の竹馬は、踏み板を折り畳み装置により折り畳んで収納することはできるが、該折り畳み装置は、複雑な構造を有するものであるので、製造コストが増大してしまう問題があった。
【０００５】
本考案は上記した従来物の問題及び欠点を改善するために成されたもので、本考案が目的とするところは、強固な構造にしつつ、組み立て及び収納が極めて簡単な竹馬を提供することにある。
【課題を解決するための手段】
【０００６】
本願の第１考案は、２つの円弧面と２つの平面とからなる、断面略方形を呈するパイプであり、その内、１つの円弧面における上端近傍に複数の位置決め孔が形成され、１つの平面における下端近傍に複数の調整孔が形成されると共に、最上端に１つのスリーブが取り付けられ、最下端に足座が取り付けられる外パイプと、
前記外パイプの内部に摺動可能に取り付けられ、下端に外パイプの内周面と対応する当接プレートが設けられ、外周面における当接プレートの近傍に１つの位置決め孔と係合する位置決め部材が突設される内パイプと、
前記外パイプと着脱可能に結合され、一端に外パイプの外周面と対応する取付孔が穿設され、内部に該取付孔と連通する収容溝が斜めに凹設され、外周面に取付孔を貫通する結合孔が横方向に形成され、該結合孔中に外パイプの１つの調整孔と結合する結合ピンが嵌設される踏み板と、を有することを特徴とする竹馬、を提供する。
【０００７】
本願の第２考案は、前記位置決め部材には、内パイプの内部に湾曲状に設けられる板バネと、該板バネの一方の側面と結合すると共に、１つの位置決め孔と係合するように、内パイプの外周面より突出する位置決めピンとが設けられることを特徴とする第１考案に記載の竹馬、を提供する。
【０００８】
本願の第３考案は、前記取付孔の近傍における、収容溝の対向する内面に夫々係合リブが設けられることを特徴とする第１または２考案に記載の竹馬、を提供する。
【０００９】
本願の第４考案は、前記踏み板は、一体構造であることを特徴とする第１または３考案に記載の竹馬、を提供する。
【００１０】
本願の第５考案は、前記内パイプの外周面における上半部に滑り止め部が設けられることを特徴とする第４考案に記載の竹馬、を提供する。
【００１１】
本願の第６考案は、前記結合ピンの一端に引抜き用リングが設けられ、また、踏み板の外面に該引抜き用リングを収容するための凹入溝が形成されることを特徴とする第５考案に記載の竹馬、を提供する。
【００１２】
本願の第７考案は、前記踏み板の上面に複数の滑り止め凸部が設けられることを特徴とする第６考案に記載の竹馬、を提供する。
【００１３】
本願の第８考案は、前記内パイプの上端に内パイプの断面と対応するカバープレートが設けられることを特徴とする第７考案に記載の竹馬、を提供する。
【００１４】
本願の第９考案は、前記内パイプの外周面における上半部に滑り止め部が設けられ、該内パイプの上端には、内パイプの断面と対応する結合プレートが設けられると共に、結合ピンの一端に引抜き用リングが設けられ、また、踏み板の外面に該引抜き用リングを収容するための凹入溝が形成され、該踏み板の上面に複数の滑り止め凸部が設けられることを特徴とする第１考案に記載の竹馬、を提供する。
【考案の効果】
【００１５】
本考案の竹馬は上記の技術手段により、少なくとも以下の改善及び効果を提供することができる。
【００１６】
本考案に係る竹馬は、当接プレート及びスリーブにより、内パイプと外パイプとが互いに回転しないように両者を強固に結合し、また、外パイプに対応する形状を有する踏み板の取付孔、及び外パイプに当接する係合リブにより、踏み板の外パイプに対する回転を防止することができるので、両者を強固に結合させることができる。
【００１７】
本考案の竹馬を組み立てる時は、結合ピンを結合孔と外パイプにおける１つの調整孔に貫設して踏み板を外パイプの下部に取り付けることにより踏み板を外パイプに固定し、それから内パイプにおける当接プレートを有する端部を外パイプの上端よりその内部に挿入し、位置決めピンを外パイプにおける１つの位置決め孔に係合させ、内パイプからスリーブを嵌め込み外パイプの上端に環装すれば、本考案の竹馬を組み立てることができる。
【００１８】
また、本考案の竹馬を使用する時には、外パイプの位置決め孔と係合する内パイプの位置決めピンにより、外パイプから延出する内パイプの長さを調整することができると共に、外パイプの調整孔に結合される結合ピンにより、外パイプにおける踏み版の高さを調整することができる。
即ち、本考案に係る竹馬は、使用者の都合により、棒の長さ及び踏み板の高さを自由に調整することができるので、何人も本考案の竹馬を簡単に使用することができる。
【００１９】
更に、使用後には、結合ピンを軸にして、踏み板を外パイプに対して回転させ、その収容溝に外パイプの外周面を嵌め込むことにより折畳み収納が可能であることから、従来のような折り畳み装置は不要となるので、より簡単に収納作業が行えると共に、コストの低減にも繋がる。
【考案を実施するための最良の形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図１は本考案に係る竹馬の斜視図であり、図２は本考案に係る竹馬の分解斜視図であり、図３は本考案に係る竹馬の部分平面断面図であり、図４は本考案に係る竹馬の部分側面断面図であり、図５は本考案に係る竹馬の他の部分側面断面図であり、図６は本考案に係る竹馬における踏み板の使用状態を示す側面図であり、図７は本考案に係る竹馬の使用状態を示す正面図である。
【００２２】
図１乃至図３に示すように、本考案に係る竹馬は、外パイプ（１０）と、内パイプ（２０）と、踏み板（３０）とを有するものである。
【００２３】
前記外パイプ（１０）は、２つの円弧面（１１）と２つの平面（１２）とからなる、やや断面略方形を呈するパイプでありる。
１つの円弧面（１１）における上端近傍に複数の位置決め孔（１３）が形成されている。
１つの平面（１２）における下端近傍に複数の調整孔（１４）が形成されると共に、最上端に１つのスリーブ（１５）が取り付けられ、最下端に足座（１６）が取り付けられている。
【００２４】
前記内パイプ（２０）は、外パイプ（１０）の内部に摺動可能に取り付けられ、下端に外パイプ（１０）の内周面と対応する当接プレート（２１）が設けられ、外周面における当接プレート（２１）の近傍に１つの位置決め孔（１３）と係合する位置決め部材（２２）が突設されるものである。
また、図４に示すように、該位置決め部材（２２）には、内パイプ（２０）の内部に湾曲状に設けられる板バネ（２２１）と、該板バネ（２２１）の一方の側面と結合すると共に、１つの位置決め孔（１３）と係合するように、内パイプ（２０）の外周面より突出する位置決めピン（２２２）とが設けられている。
更に、該内パイプ（２０）の外周面における上半部に滑り止め部（２３）が設けられ、該内パイプ（２０）の上端に内パイプ（２０）の断面と対応する結合プレート（２４）が設けられる。
【００２５】
前記踏み板（３０）は、一体構造であり、外パイプ（１０）と着脱可能に結合され、一端に外パイプ（１０）の外周面と対応する取付孔（３１）が穿設され、内部に該取付孔（３１）と連通する収容溝（３２）が斜めに凹設されるものであり、展開時には、外パイプ（１０）と強固に結合し得るように、取付孔（３１）の近傍における、該収容溝（３２）の対向する内面に夫々係合リブ（３２１）が設けられる。
また、図５に示すように、前記踏み板（３０）の外面に取付孔（３１）を貫通する結合孔（３３）が横方向に形成され、該結合孔（３３）中に外パイプ（１０）の１つの調整孔（１４）と結合する結合ピン（３４）が嵌設されると共に、該結合ピン（３４）の一端に引抜き用リング（３４１）が設けられる。
更に、該踏み板（３０）の外面に引抜き用リング（３４１）を収容するための凹入溝（３５）が形成されると共に、踏み板（３０）の上面に複数の滑り止め凸部（３６）が設けられる。
【００２６】
本考案の竹馬を組み立てる時は、結合ピン（３４）を結合孔（３３）及び外パイプ（１０）における１つの調整孔（１４）に貫設して踏み板（３０）を外パイプ（１０）の下部に取り付けることにより、踏み板（３０）を外パイプ（１０）に固定する。
さらに、当接プレート（２１）が外パイプ（１０）の内周面に強固に当接するように、内パイプ（２０）における当接プレート（２１）を有する端部を、外パイプ（１０）の上端よりその内部に挿入する。
そして、位置決めピン（２２２）を外パイプ（１０）における１つの位置決め孔（１３）に係合した後、当接プレート（２１）及びスリーブ（１５）により内パイプ（２０）と外パイプ（１０）とを回転不能となるように結合させ、さらにスリーブ（１５）が内パイプ（２０）の外周面に位置するように、スリーブ（１５）を外パイプ（１０）の上端に取り付ける。
上述したように、本実施例においては、前記踏み板（３０）の取付孔（３１）が外パイプ（１０）の外周面と対応する形状を呈すると共に、外パイプ（１０）に当接する係合リブ（３２１）が設けられることにより、踏み板（３０）の外パイプ（１０）に対する回転を有効的に防止し得るので、組み立てが極めて簡単であり、且つ強固な結合効果を持つ構造を提供することができる。
【００２７】
本考案の竹馬を使用する時は、前記外パイプ（１０）の位置決め孔（１３）に係合する内パイプ（２０）の位置決めピン（２２２）により、外パイプ（１０）から延出する内パイプ（２０）の長さを調整することができると共に、前記外パイプ（１０）の調整孔（１４）に結合する結合ピン（３４）により、外パイプ（１０）における踏み板（３０）の高さを調整することができる。
即ち、本考案に係る竹馬は、図７に示すように、使用者の都合により、内パイプ（２０）及び踏み板（３０）の高さを有効に調整することができるものである。
【００２８】
さらに、図６に示すように、本考案の使用を終えて収納する時は、単に結合ピン（３４）を軸とし、踏み板（３０）を外パイプ（１０）に対して回転させ、その収容溝（３２）に外パイプ（１０）の外周面を嵌め込むだけでよいことから、従来のような竹馬を収納するための折り畳み装置が不要となるので、より便利的に収納作業をより簡単に行えると共に、コストの低減にも繋がる。
【００２９】
本考案は上記の構成を有するので、従来の竹馬の問題及び欠点を解決できると共に、強固な構造を達成でき、更には組み立て作業もより簡単にすることができる。
【図面の簡単な説明】
【００３０】
【図１】本考案に係る竹馬の斜視図である。
【図２】本考案に係る竹馬の分解斜視図である。
【図３】本考案に係る竹馬の部分平面断面図である。
【図４】本考案に係る竹馬の部分側面断面図である。
【図５】本考案に係る竹馬の他の部分側面断面図である。
【図６】本考案に係る竹馬における踏み板の使用状態を示す側面図である。
【図７】本考案に係る竹馬の使用状態を示す正面図である。
【符号の説明】
【００３１】
１０・・・・・外パイプ
１１・・・・・円弧面
１２・・・・・平面
１３・・・・・位置決め孔
１４・・・・・調整孔
１５・・・・・スリーブ
１６・・・・・足座
２０・・・・・内パイプ
２１・・・・・当接プレート
２２・・・・・位置決め部材
２２１・・・・板バネ
２２２・・・・位置決めピン
２３・・・・・滑り止め部
２４・・・・・カバープレート
３０・・・・・踏み板
３１・・・・・取付孔
３２・・・・・収容溝
３２１・・・・係合リブ
３３・・・・・結合孔
３４・・・・・結合ピン
３４１・・・・引抜き用リング
３５・・・・・凹入溝
３６・・・・・滑り止め凸部
【図１】
0003144749.tif 000003
【図２】
0003144749.tif 000004
【図３】
0003144749.tif 000005
【図４】
0003144749.tif 000006
【図５】
0003144749.tif 000007
【図６】
0003144749.tif 000008
【図７】
0003144749.tif 000009